(57)【要約】  本発明は、一般に、フレーム上に吊り下げられた布を含む自立型の構造フレームに係る。一態様では、本発明は、自立型のフレーム付きハンモックを提供する。ハンモックは、ｘ状の形状のフレームを連結する２つの端部バー、およびｘ状の形状の２つの端部バーの間に吊り下げられた布の少なくとも１つのパネルを含み、布のパネルは、エンドキャップに固定された端部バーに沿って集められ、そして分散され、そして布のパネルは、端部バーを覆うための発泡パッドを有する。コーナーエンドキャップは、フレームに追加のフレーム部品および／またはアクセサリを取り付けることができ、そして脚部は、２点の地面との接地点を有し、かつ、フレームのベースフットプリントの幅を延長するように延長される。【選択図】図１
2021530329.tif 000002
【特許請求の範囲】
【請求項１】
自立型フレーム付きハンモックであって、
ｘ状の形状で交差する第１および第２のチューブのセットを含み、前記第１のチューブおよび前記第２のチューブのセットは、エンドキャップにより第１および第２の端部バーに接続されており、
第１の端部および第２の端部を有する少なくとも１つの布のパネルを含み、前記少なくとも１つの布のパネルは、前記第１および第２の端部バーの間に吊るされており、
前記少なくとも１つの布のパネルの前記第１の端部および前記第２の端部は、前記第１および第２の端部バーに沿って集められそして分散され、そして両端部は、前記第１および第２の端部バーを覆う発泡パッドを有し、
前記自立型フレーム付きハンモックは、キャリーバッグに適合するように折りたたまれ、分解され、または折り重ねられることが可能である、
自立型フレーム付きハンモック。
【請求項２】
前記第１のチューブおよび前記第２のチューブのセットは同じ長さであり、そして、前記第１および第２の端部バーは同じ長さである、請求項１に記載の自立型フレーム付きハンモック。
【請求項３】
前記第１のチューブおよび前記第２のチューブは、可撓性ストラップによりｘ状の形状に接合されている、請求項１に記載の自立型フレーム付きハンモック。
【請求項４】
前記発泡パッドが、前記パッドと前記パネルとの間に隙間が生じるように、前記少なくとも１つの布のパネルの少なくとも前記第１の端部に取り付けられる、請求項１に記載の自立型フレーム付きハンモック。
【請求項５】
前記第１および前記第２のチューブのセットが４つの区間に分離され、そして前記チューブを４つの区間に分離することにより、前記ハンモックをよりコンパクトな形態に折りたたむことが可能である、請求項１に記載の自立型フレーム付きハンモック。
【請求項６】
自立型フレーム付きハンモックを構築する方法であって、
少なくともハンモック布の第１の端部を縫い、端部バー上をスライドするスリーブを形成すること、
前記ハンモック布を集め、そして前記ハンモック布を端部バーに取り付けること、
発泡パッドを提供すること、
前記ハンモック布の前記第１の端部と発泡パッドの内側の区間との間に約１インチの隙間を設けつつ、前記ハンモック布の前記第１の端部の周囲に前記発泡パッドを組み立てること、
を含む、自立型フレーム付きハンモックを構築する方法。
【請求項７】
前記端部バーは、ｘ状の形状で交差する第１および第２のチューブのセットに接続される、請求項６に記載の自立型フレーム付きハンモックを構築する方法。
【請求項８】
前記ハンモックは、キャリーバッグに適合するように折りたたまれ、分解され、または折り重ねられることが可能である、請求項６に記載の自立型フレーム付きハンモックを構築する方法。
【請求項９】
自立型フレーム付きハンモック用のコーナーエンドキャップであって、前記コーナーエンドキャップを使用して追加の部品を前記自立型のフレームに接続することができ、前記コーナーエンドキャップは、
少なくとも１つのフレーム拡張ソケット、
スクリューボルトが前記自立型フレームに追加のアイテムを取り付けることを可能にする、少なくとも1つのソケット、
トグル、ストリング、またはその他の部材を、前記コーナーエンドキャップおよびハンモックフレームに取り付けるための手段、
を含む、コーナーエンドキャップ。
【請求項１０】
前記キャップは、端部バー受けソケットをさらに含む、請求項９に記載のコーナーエンドキャップ。
【請求項１１】
前記キャップは、フレームバー受けソケットをさらに含む、請求項９に記載のコーナーエンドキャップ。
【請求項１２】
前記キャップは、端部バー受けソケットおよびフレームバー受けソケットをさらに含む、請求項９に記載のコーナーエンドキャップ。
【発明の詳細な説明】
【技術分野】
【０００１】
発明の分野
本発明は、一般に、フレーム上に吊り下げられた布を含む自立型構造のフレームに係る。
【背景技術】
【０００２】
発明の背景
様々なハンモック、および関連する方法が報告されている。例えば、米国特許Ｎｏ．９，７８８，６３９「Protective Hammock Enclosure and Method of Use」は、以下に係るものである。「好ましくは１つまたは２つのハンモックのために設計されたハンモックエンクロージャは、エンクロージャの多くの特徴のために、様々な設定および場所で使用することができる。該ハンモックエンクロージャは、昆虫がエンクロージャに侵入するのを防止するために、高品質の網で作られた側面を有している。加えて、調整可能な防水性のレインフライがエンクロージャの上方に配置され、そしてエンクロージャの底部にもまた防水性の材料を含む。該ハンモックエンクロージャは、好ましくは２本の木に固定され、そしてハンモックは次いで、内側に吊される。ハンモックのためのラインは開口部を通過し、該開口部は、水や昆虫等がエンクロージャに入るのを防止するため、再び締めて閉じることが可能である。あるいは、該ハンモックエンクロージャは、複数のループ、上方ループ、および固定機構を介して地面に固定されてもよい。これにより、ハンモックエンクロージャを伝統的な地上シェルターとして利用することができる。」要約より。
【０００３】
米国特許Ｎｏ．９，７５０，３２９「Multiple-Loop Support Strap and Method for Hanging a Hammock」は、以下の報告をしている。「マルチプルループサポートストラップは、ハンモックの一端を固定構造から吊るすように適合されている。サポートストラップは同様のストラップと協働し、ハンモックの反対側の端部を、第１の固定構造から離間された第２の固定構造から吊るす。サポートストラップは、それ自体の上に折りたたまれて第１および第２の重なるストラップセクションを形成する狭長の長さの可撓性ストラップを含む。ストラップセクションは、サポートストラップの第１の端部で互いに一体的に結合され、そして、第１および第２のストラップセクションのうちの少なくとも１つは、サポートストラップの端部とは反対の第２の端部で終端する。複数のストラップループが、サポートストラップの対向する端部の間に第１および第２のストラップセクションを有するように形成される。」要約より。
【０００４】
米国特許Ｎｏ．９，７１３，３７２「Rounded Hammock」は、以下の議論をしている。「丸みを帯びたハンモックは、丸みを帯びたプロファイルと中心を有する中央パネルを含む。少なくとも４つの側壁は、第１の側壁、第２の側壁、第３の側壁、および中央パネルに接続される第４の側壁を含む。第１のプリーツは、第１の側壁上に形成される。第２のプリーツは、第２の側壁上に形成される。第３のプリーツは、第３の側壁上に形成される。第４のプリーツは、第４の側壁上に形成される。第１のプリーツカバーは第１のプリーツに縫い付けられている。第２のプリーツカバーは第２のプリーツに縫い付けられている。第３のプリーツカバーは第３のプリーツに縫い付けられている。第４のプリーツカバーは第４のプリーツに縫い付けられている。」要約より。
【先行技術文献】
【特許文献】
【０００５】
【特許文献１】米国特許第９７８８６３９号公報
【特許文献２】米国特許第９７５０３２９号公報
【特許文献３】米国特許第９７１３３７２号公報
【発明の概要】
【発明が解決しようとする課題】
【０００６】
様々な報告があるにも関わらず、当該技術分野において、新規なハンモックおよび関連する方法に対するニーズが依然として存在する。
【課題を解決するための手段】
【０００７】
発明の概要
一態様では、本発明は、自立型フレーム付きハンモックを提供する。ハンモックは、メインフレーム構造を連結する２つの端部バー、および前記メインフレーム構造の前記２つの端部バーの間に吊り下げられた少なくとも１つの布のパネルを含み、前記布パネルは、エンドキャップに固定された端部バーに沿って集められそして分散され、前記布パネルは、前記端部バーを覆うための発泡パッドを有する。
【０００８】
別の態様では、本発明は、自立型ハンモックを構築する方法を提供する。本方法は、ハンモック布を集め、そして前記ハンモック布を自立型ハンモックフレームの端部バーに取り付けること、発泡パッドを提供すること、ハンモック布の端部を縫い、端部バー上をスライドするスリーブを形成すること、ハンモック布の端部と発泡パッドの内側の区間との間に約１インチの隙間を設け、ハンモック布の端部の周囲に発泡パッドを組み立てること、を含む。
【０００９】
別の態様では、本発明は、追加のフレーム部品を自立型フレーム上に組み立てることを可能にするコーナーエンドキャップを提供する。コーナーエンドキャップは、ファイバーグラスおよびスチールフレームポール、ならびにアルミニウムまたは他の材料フレームポール等であり得る追加のフレーム部品を受け入れるために、少なくとも１つのチューブを含む。これらの追加のフレーム部品は、蚊帳、タープ、完全なテントエンクロージャ、シングルスパインライン、またはブレーシングポールのようなアクセサリを組み立てるために使用することができるが、これらに限定されない。また、コーナーエンドキャップは、追加のアクセサリを部品に取り付けるためのねじ穴を含んでもよい。これらのねじ込み部品には、日よけ部品、固定部品、ブレーシングポール、テント支柱、テーブル表面、および照明が含まれるが、これらに限定されない。
【００１０】
そしてさらに別の態様では、本発明は、ハンモックフレームにブレーシングおよびサポートを提供するために、ベースフットプリントを広げる延長フットを含んでもよい。
【図面の簡単な説明】
【００１１】
【図１】図１は、使用中の本発明の例示的な実施形態の正面斜視図である。
【図２】図２は、本発明の例示的な実施形態の正面斜視図である。
【図３】図３は、ハンモック布を省略した、本発明のフレームの例示的な実施形態の正面斜視図である。
【図４】図４は、フレームから取り外された端部バーの正面斜視図である。
【図５】図５は、折りたたまれた形態の図２の実施形態の正面斜視図である。
【図６】図６は、端部バー、ハンモック布、および端部パッドの正面斜視図である。
【図７】図７は、端部バーおよび端部パッドの断面図である。
【図８】図８は、発明の変形実施形態の正面斜視図である。
【図９】図９は、本発明の変形実施形態の正面斜視図である。
【図１０】図１０は、実施形態８および９の折りたたまれたバージョンの正面斜視図である。
【図１１】図１１は、本発明の変形実施形態の正面斜視図である。
【図１２】図１２は、本発明の変形実施形態の正面斜視図である。
【図１３】図１３は、本発明の変形実施形態の正面斜視図である。
【図１４】図１４は、端部バーをより明確に観察するためにハンモック布を取り除いた、図１３の実施形態の正面斜視図である。
【図１５】図１５は、延長フットの正面図である。
【図１６】図１６は、コーナーエンドキャップ部のセット図である。
【図１７】図１７は、コーナーエンドキャップ部の正面斜視図であり、円は部品の機能領域を示す。
【図１８】図１８は、前記部品に特に適用される機能的特徴を示す、コーナーエンドキャップ部品の正面斜視図である。
【図１９】図１９は、トグルまたは同様の方法でアクセサリを接続するためのリングを備えた、コーナーエンドキャップ部の正面斜視図である。
【図２０】図２０は、バグネットアクセサリ用のフレームを保持するために、使用中のコーナーエンドキャップ部の正面斜視図である。
【図２１】図２１は、バグネットの一実施形態が取り付けられたフレームの正面斜視図である。
【図２２】図２２は、バグネットがバグネットの外側から内側へフレームを通過させる方法の詳細な斜視図である。
【図２３】図２３は、レインタープが接続されたバグネットの正面斜視図である。
【図２４】図２４は、アクセサリの一実施形態の正面斜視図である。
【発明を実施するための形態】
【００１２】
発明の詳細な説明
ハンモックは、個人が座る、リクライニングする、リラックスする、または睡眠するためのサポートを提供するための、家具のような装置としてよく知られている。ハンモックは典型的には、長さが少なくとも７フィートで、形状が長方形の布材料で作られる。これは、ハンモックの長さの範囲内に、大部分の人間の身長にフィットするのに十分な長さを提供する。材料は、２つの短い端部に沿って互いに集められ、ロープなどの手段によって集められてしっかりと固定される。スプレッダーバーが、布材料を開いたままにするために使用されることがある。
【００１３】
本発明は、「ｘ状の」形状で交差し、頂部で端部バーにより互いに接続される２セットのチューブからなる自立型の構造フレームである。ハンモック布は、これらの端部バーの間に吊り下げることができ、典型的には以下の特徴を有する。即ち、端部バーの長手に沿って互いに集められ、従来のハンモックよりも著しく短くてもよく（例えば、長さが７フィート未満、長さが６フィート８インチ未満、長さが６フィート４インチ未満、または長さが６フィート未満）、端部バーを覆うパッドを両端どちらかの端部に有し、体幹のサポートを提供するが、使用者はハンモック布の端部から自らの脚を伸ばすことができる。ハンモックフレームは、折りたたんだり、分解されたり、またはキャリーバッグに収納されるように折り重ねられ得る。フレームと吊られた布の独特な形状は、重量を低下させ、重量を中心に配置し、最小のフットプリントで安定したベースを可能にする。
【００１４】
一実施形態では、本発明は、「ｘ状の」形状で交差する２セットのチューブからなる自立型の構造フレームを提供する。２セットのチューブは、頂部で端部バーにより互いに接続されており、該端部バーは、２つのｘフレームのための構造を提供し、折りたたみのためにフレームチューブから取り外し得る。ハンモック布は、これらの端部バーと端部バーとの間に吊り下げられる。ハンモック布の短手側は、スリーブを形成するために縫い付けられ、次いで端部バー上に組み付けられ、そして布は端部バーに沿って集められる。ハンモック布の端部は端部バーを覆う発泡パッドを含み、それによって使用者がハンモックフレームの端部を越えて自らの脚を快適に伸ばすことができる。この発泡パッドは、簡単に入るためにハンモック布の中心を広げるという、別の独立した機能を提供する。
【００１５】
図１は、使用中の本発明の例示的な実施形態の正面斜視図である。示されているように、自立型のハンモックフレームは、短縮されたハンモックを吊り下げ、体幹のサポートを提供するが、使用者はハンモック布の端部から自らの脚を伸ばすことができる。
【００１６】
短縮されたハンモックは、クロスバーの上に延びるユニークな端部パッドを有し、ハンモックの端部から使用者の脚を快適に伸ばすことができる。これにより、使用者は靴を履いたままでよく、または、土、砂、雪等を使用者のハンモックに入れないようにすることができる。
【００１７】
図２は、本発明の例示的な実施形態の正面斜視図である。この実施形態では、自立型ハンモックフレーム１００は、同一かつ鏡像関係にある、２つの側面２００を有する。該側面は、「ｘ」形状に構成されたフレームチューブ３で構成されている。吊り下げられたハンモック布と組み合わされると、この「ｘ」形状のフレーム（構造フレーム）は、バランスのとれた幾何学的形状を作り出し、両端部を「上」に引かれたハンモック布を介して両端部を互いに引っ張る力は、両端部を「下」に引く重力とバランスのとれた平衡状態にある。端部バー１は、フレームチューブ３の上端を連結し、フレームに構造的な形状を与える。
【００１８】
フレームチューブは、可撓性ストラップ４を介して構造的な「ｘ」形状に保持される。可撓性ストラップの材料の非限定的な例としては、ウェビング、ケーブル、ロープ等が含まれる。また、ヒンジで固定される場合や、あるいは折りたたみ可能な場合には、可撓性ストラップの材料は金属またはプラスチックのような硬い材料であってもよい。ハンモック布２は、端部バー１と端部バー１との間に吊り下げられる。ハンモック布は、任意の好適な材料であってよい。典型的には、ハンモック布は、トリプルステッチの縫い目を持つ高強度パラシュートナイロンである。ハンモック布２は、図６に示す端部バー１に沿って集められる。図２に示される実施形態では、フレームチューブは、図５に示すコンパクトな形態に折りたたまれるように分解される。
【００１９】
図３は、ハンモック布を省略した、本発明のフレームの例示的な実施形態の正面斜視図である。これは、フレームチューブ３に接続する端部バー１をより明確に示す。可撓性ストラップ４は、ｘ形フレームチューブ３を互いに連結し、ｘ形構造を保持するためのブレースサポートを提供する。
【００２０】
図４は、フレームから取り外された端部バーの正面斜視図である。示されるように、端部バー１は、ロングフレームチューブ３から取り外される。これにより、自立型フレームの構造が解放され、図５に示すように、コンパクトに折りたたむことができる。
【００２１】
図６は、端部バー、ハンモック布、および端部パッドの正面斜視図である。短縮されたハンモック布２をハンモックフレーム上に吊るす方法が示されている。ハンモック布２の端部は、端部バー１上をスライドするスリーブ５を形成するように縫い付けられている。スリーブは、典型的には、織物が端部バーに沿って自由にスライドするのを可能にするのに十分に緩く、端部のコーナー上を滑ることを阻止するのに十分にタイトである。多くの場合、３インチのループが使用される。ハンモック布２は、端部バー１に沿って集められる。ハンモック布２に取り付けられているのは、端部バー１を覆う発泡パッド６である。端部パッドは典型的には、恒久的にハンモック布上に縫い付けられる。一例では、端部パッドは幅１１インチであり、使用者の頭および脚に十分なパッドを提供する。端部パッドは、スリーブの端部を越えて延び、端部バーのスリーブの下にループバックされ、ハンモック布に固定され得る。
【００２２】
発泡パッド６は、２つの材料の間に隙間が生じるようにハンモック布２上に組み立てられる。端部パッドと布スリーブとの間の隙間は、典型的には、重量が加えられた状態で０．５インチから３．０インチの間である。しばしば、この隙間は０．５インチから２．０インチの間である。ある場合には、この隙間は約１．０インチである。端部パッドは通常、圧縮されることなくしっかりと保持される（圧縮は、布がパッドの周りにしっかりと引かれた際に生じる）。この隙間は、典型的には、ハンモック布２を０．５インチから３．０インチの間、または約１．０インチから約２．５インチの間（例えば、ナイロン布）に伸ばすことを可能にするが、ハンモック布は非伸縮性の布（例えば、ポリエステル）で作られてもよい。伸縮量は、使用される材料および適用される重量に依存する。任意の適当な重量を適用し得る。適用可能な重量の非限定的な例としては、少なくとも１５０ポンド、少なくとも２００ポンド、少なくとも２５０ポンド、および少なくとも３００ポンドを含む。
【００２３】
図７は、端部バーおよび端部パッドの断面図である。これは、ハンモック布２、端部バー１、および発泡パッド６の断面図を含む。ハンモック布２は、端部バー１上をスライドするスリーブに縫い込まれる。発泡パッド６は、ハンモック布２と発泡パッド６との間に隙間を設けて、ハンモック布上に組み立てられる。
【００２４】
図８は、本発明の変形実施形態の正面斜視図である。この実施形態の利点は、よりコンパクトな形態に折りたたみ得ることである。フレームチューブは、４つの区間（lengths）１０に分離される。上部区間（length）１０．１、中間の上部区間（length）１０．２、下部の上部区間（length）１０．３は、ハブ１２および下部の脚部区間（length）１０．４に接続される。ストラクチャルクロスチューブ１１は、２つのハブ１２を互いに接続する。短縮されたハンモック布２をフレーム上に吊るす方法が図６および図７に示されている。図１０に示されるようにフレームチューブは、フレームチューブに通された弾性コード１３によって互いに接続されたまま、そしてハブ１２に接続されたまま、分離され、折りたたまれ得る。
【００２５】
図９は、本発明の変形実施形態の正面斜視図である。示されるように、この実施形態もまた、よりコンパクトな形態に折りたたまれる。これは、高強度かつ超軽量のアルミチューブと軽量のハンモック布とを用い、軽量、コンパクト、かつ簡易に持ち運び得るフレームハンモックである「ウルトラポータブル」モデルであり、標準のバックパックに収めることが可能である。本実施形態では、「ｘ」形状構造はハンモック布の端部にある。これにより、主要な実施形態および図８で使用される大きな脚部を必要とせずに、より広いサポートベースを可能とする。追加のレッグチューブ８が示されており、これはフレームの両端部に三脚状のベースを提供する。ストラクチャルクロスチューブ１１は、２つのハブ１２を互いに接続する。短縮されたハンモック布２は、端部バー１と端部バー１との間に吊り下げられる。短縮されたハンモック布２をフレーム上に吊るす方法は、図６および図７に示されている。
【００２６】
図１１は、本発明の変形実施形態の正面斜視図である。示されるように、本実施形態の利点は、
短縮されたハンモックのパティオバージョン等の、コンパクトな収納に焦点を合わせる必要のない製品用のシンプルな「シングル折りたたみ」フレームにある。この構造は、単純に半分に折りたたまれ、そしてその脚部で自立する。デッキまたはパティオの邪魔にならない場所に保管することや、必要に応じて引き出して用いることが容易である。本実施形態では、「ｘ」フレームは、ベースおよび上部の端部バーによって接続される。短縮されたハンモック布２は、端部バー１と端部バー１との間に吊り下げられる。短縮されたハンモック布２をフレーム上に吊るす方法は、図６および図７に示されている。
【００２７】
図１２は、本発明の変形実施形態の正面斜視図である。示されるように、本実施形態の利点は、ハンモックをベビーベッドやベッドのように、地面まで下げられることである。構造的な「ｘ」形状は、「ｖ」形状（構造フレーム）ベースハブ１４、およびフレームチューブ３に沿って配置された２つのレッグハブ１３に変更されている。これにより、ハンモックラウンジャーを低くし、地面に近づけることができる。
【００２８】
図１３は、本発明の変形実施形態の正面斜視図である。示されるように、この設計の利点は、使用者が触れる端部バーが、固いバーではなく、ウェッビングまたは可撓性の部材であることである。この実施形態は、使用者の頭部および脚部に特別な快適さを提供することができる。変更された端部バー１は、下方のベントフレームバーと、フレームチューブ３の端部間にまたがるウェビング部材または他の可撓性部材とからなる。ハンモック布は、図６および図７に示された短縮されたハンモック布２をフレーム上に吊るす方法を利用して、ウェビングまたは他の可撓性部材上に組み立てられる。
【００２９】
図１４は、図１７の実施形態の正面斜視図であり、コーナーエンドキャップおよびベントフレームバーの構造を示すために布を除去したものである。
【００３０】
図１５は、延長フット２２の正面図であり、該延長フットは、支柱および追加のサポートを提供するために、地面との接地点を広く延長している。これらは、トラックやトレーラーに使われるアウトリガーに非常に類似している。延長フット２２は、フレームの接地点を越えて、より広いベースおよびより多くのサポートを形成する。
【００３１】
図１６は、コーナーエンドキャップの種々の図であり、追加のフレーム部品を自立型フレーム上に組み立てることができるソケットを示す。これは、ファイバーグラス、アルミニウム、または他のフレームポールに適合するフレーム延長ソケット１５を含む。コーナーエンドキャップ部は往々にして、スクリューボルトが自立フレームに追加のアイテムを取り付けることを可能にするソケット１６を含む。コーナーエンドキャップはまた、トグル、ストリング、または他のアイテムをコーナーエンドキャップおよびフレームに取り付けるためのリング１７または同様の方法を含んでもよい。
【００３２】
図１７は、コーナーエンドキャップピースの正面斜視図である。コーナーエンドキャップピースは、以下のコネクテッドセクションを有し得る。即ち、端部バー受けソケット１８、トグルリング１７、フレームバー受けソケット１９、ボルトオンソケット１６、およびフレーム延長ソケット１５である。
【００３３】
図１８は、コーナーエンドキャップピースの一実施形態の正面斜視図であり、フレームをピンロックで固定することを可能にする穴を示す。端部バーは、端部バーソケット１８内に挿入され、ピンロック穴２０内に固定されるピンロックによって所定の位置にロックされる。フレームバーは、フレームバー受けソケット１９に挿入され、ピンロック穴２１に固定されるピンロックによって所定の位置にロックされる。
【００３４】
図１９は、コーナーエンドキャップの正面斜視図であり、トグル（図示）または同様の手段を取り付けるためのリング１７の詳細を示す。
【００３５】
図２０は、使用中のコーナーエンドキャップの正面斜視図であり、追加のアクセサリをフレーム上に組み立てることができるようフレームを延長するための、フレーム延長ソケット１５上に組み立てられたフレーム延長ポール２３とともに示されている。これらのアクセサリは、蚊帳２４、サンカバレッジタープまたはシェード、レインプロテクションタープ、プライバシーウォール、フラッグ、バナー、キャンプアクセサリーラック、およびテーブルサーフェスであってもよく、これらに限定されない。本発明は、フレーム延長ポール２３を蚊帳２４の一実施形態、および、サン／レイン／プライバシータープ２６の一実施形態に組み込む。
【００３６】
図２１は、蚊帳２４の一実施形態の正面斜視図であり、フレームバー３およびフレーム延長ポール２３が蚊帳内のガスケット穴２５をどのように通過するかを示す。これにより、フレームバー３が蚊帳の外側から内側へ通過することができ、そこでフレームを互いに接続し、ハンモック布２を保持する端部バー１に接続することができる。
【００３７】
図２２は、図２１の実施形態の詳細図である。
【００３８】
図２３は、アクセサリの別の実施形態の正面斜視図であり、コーナーエンドパーツのフレーム延長ソケット１５を用いてフレームに取り付けられている。この実施形態では、フレーム延長ポール２３に取り付けられるのは、サン／レイン／プライバシータープ２６である。この実施形態では、タープ２６、サンシェード２７、蚊帳２４、アンダーキルトおよびオーバーキルトは全て、独立して、または任意の組み合わせで、コーナーエンドキャップの受けソケットに取り付けることができる。
【００３９】
図２４は、ボルトオンソケット１６、折りたたみ式サンシェード２７を介してフレームに取り付けるアクセサリの一実施形態の正面斜視図である。
【図１】
2021530329.tif 000003
【図２】
2021530329.tif 000004
【図３】
2021530329.tif 000005
【図４】
2021530329.tif 000006
【図５】
2021530329.tif 000007
【図６】
2021530329.tif 000008
【図７】
2021530329.tif 000009
【図８】
2021530329.tif 000010
【図９】
2021530329.tif 000011
【図１０】
2021530329.tif 000012
【図１１】
2021530329.tif 000013
【図１２】
2021530329.tif 000014
【図１３】
2021530329.tif 000015
【図１４】
2021530329.tif 000016
【図１５】
2021530329.tif 000017
【図１６】
2021530329.tif 000018
【図１７】
2021530329.tif 000019
【図１８】
2021530329.tif 000020
【図１９】
2021530329.tif 000021
【図２０】
2021530329.tif 000022
【図２１】
2021530329.tif 000023
【図２２】
2021530329.tif 000024
【図２３】
2021530329.tif 000025
【図２４】
2021530329.tif 000026
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
自立型フレーム付きハンモックであって、
ｘ状の形状で交差する第１のチューブのセットおよび第２のチューブのセットを含み、前記第１のチューブのセットおよび前記第２のチューブのセットの上端部は、それぞれ、エンドキャップにより第１の端部バーおよび第２の端部バーに接続されており、
第１の端部および第２の端部を有する少なくとも１つの布のパネルを含み、前記少なくとも１つの布のパネルは、前記第１の端部バーおよび第２の端部バーの間に吊るされており、
前記第１のチューブおよび第２のチューブのセットの各チューブは、各チューブの一端部に接続された脚部を含み、
前記脚部は、
前記チューブの前記一端部に接続された接続部と、前記接続部に接続され且つ前記接続部から離れる方向へ延びる本体部とを備え、
前記接続部は、該接続部の基端部に第１の平坦部を含み、
前記接続部は、前記第１の平坦部より上に前記チューブの前記一端部を位置させるように構成され、
前記本体部は、該本体部の基端部に第２の平坦部を含み、前記本体部の基端部における前記第２の平坦部は、前記接続部の基端部における前記第１の平坦部と同一平面上にあり、
前記少なくとも１つの布のパネルの前記第１の端部および前記第２の端部は、それぞれ、前記第１の端部バーおよび前記第２の端部バーに沿って集められそして分散され、そして前記布のパネルの前記第１の端部および前記第２の端部の両方は、前記第１の端部バーおよび前記第２の端部バーを覆う発泡パッドを有し、
前記自立型フレーム付きハンモックは、キャリーバッグに適合するように折りたたまれ、分解され、または折り重ねられることが可能である、
自立型フレーム付きハンモック。
【請求項２】
前記第１のチューブのセットおよび前記第２のチューブのセットは同じ長さであり、そして、前記第１の端部バーおよび第２の端部バーは同じ長さである、請求項１に記載の自立型フレーム付きハンモック。
【請求項３】
前記第１のチューブおよび前記第２のチューブは、可撓性ストラップによりｘ状の形状に接合されている、請求項１に記載の自立型フレーム付きハンモック。
【請求項４】
前記発泡パッドが、前記パッドと前記パネルとの間に隙間が生じるように、前記少なくとも１つの布のパネルの少なくとも前記第１の端部に取り付けられる、請求項１に記載の自立型フレーム付きハンモック。
【請求項５】
前記第１のチューブのセットおよび前記第２のチューブのセットが４つの区間に分離され、そして前記チューブを４つの区間に分離することにより、前記ハンモックをよりコンパクトな形態に折りたたむことが可能である、請求項１に記載の自立型フレーム付きハンモック。
【請求項６】
自立型フレーム付きハンモックを構築する方法であって、
ハンモック布の第１の端部を縫い、第１の端部バー上をスライドするスリーブを形成し、且つ、ハンモック布の第２の端部を縫い、第２の端部バー上をスライドするスリーブを形成するステップと、
前記ハンモック布の前記第１の端部を集め、そして前記ハンモック布を前記第１の端部バーに取り付け、且つ、前記ハンモック布の前記第２の端部を集め、そして前記ハンモック布を前記第２の端部バーに取り付けるステップと、
第１のエンドキャップのセットによって、前記第１の端部バーを第１のチューブのセットの上端部に接続するステップと、
第２のエンドキャップのセットによって、前記第２の端部バーを第２のチューブのセットの上端部に接続するステップであって、
前記第１のチューブのセットおよび前記第２のチューブのセットは、ｘ状の形状で交差し、
前記第１のチューブのセットおよび前記第２のチューブのセットの各チューブは、各チューブの一端部に接続された脚部を含み、
各脚部は、
前記チューブの前記一端部に接続された接続部と、前記接続部に接続され且つ前記接続部から離れる方向へ延びる本体部とを備え、
前記接続部は、該接続部の基端部に第１の平坦部を含み、
前記接続部は、前記第１の平坦部より上に前記チューブの前記一端部を位置させるように構成され、
前記本体部は、該本体部の基端部に第２の平坦部を含み、前記本体部の基端部における前記第２の平坦部は、前記接続部の基端部における前記第１の平坦部と同一平面上にある、ステップと、
前記ハンモック布の前記第１の端部と第１の発泡パッドの内側の区間との間に約１インチの隙間を設けつつ、前記ハンモック布の前記第１の端部の周囲に前記第１の発泡パッドを組み立てるステップと、
前記ハンモック布の前記第２の端部と第２の発泡パッドの内側の区間との間に約１インチの隙間を設けつつ、前記ハンモック布の前記第２の端部の周囲に前記第２の発泡パッドを組み立てるステップと、
を含む、自立型フレーム付きハンモックを構築する方法。
【請求項７】
前記ハンモックは、よりコンパクトな形態に折りたたまれ、分解され、または折り重ねられることが可能である、請求項６に記載の自立型フレーム付きハンモックを構築する方法。
【請求項８】
自立型フレーム付きハンモックであって、
ｘ状の形状で接続された第１のチューブのセットおよび第２のチューブのセットと、
前記第１のチューブのセットのチューブの上端部に接続された第１のエンドキャップのペアと、
前記第２のチューブのセットのチューブの上端部に接続された第２のエンドキャップのペアと、を備え、
前記第１のチューブのセットおよび前記第２のチューブのセットの各チューブは、各チューブの一端部に接続された脚部を含み、
前記脚部は、
前記チューブの前記一端部に接続された接続部と、前記接続部に接続され且つ前記接続部から離れる方向へ延びる本体部とを備え、
前記接続部は、該接続部の基端部に第１の平坦部を含み、
前記本体部は、該本体部の基端部に第２の平坦部を含み、前記本体部の基端部における前記第２の平坦部は、前記接続部の基端部における前記第１の平坦部と同一平面上にあり、
前記自立型フレーム付きハンモックは、さらに、第１の端部および第２の端部を有する少なくとも１つの布のパネルを含み、
前記少なくとも１つの布のパネルの前記第１の端部および前記第２の端部は、それぞれ、第１の端部バーおよび第２の端部バーに沿って集められそして分散され、そして、前記布のパネルの前記第１の端部および前記第２の端部の両方は、前記第１の端部バーおよび前記第２の端部バーを覆う発泡パッドを含み、
前記自立型フレーム付きハンモックは、キャリーバッグに適合するように折りたたまれ、分解され、または折り重ねられるように構成された、自立型フレーム付きハンモック。
【請求項９】
前記本体部の基端部における前記第２の平坦部および前記接続部の基端部における前記第１の平坦部が、各脚部に、地面と接触する離間した点を提供するように構成されている、請求項８に記載の自立型フレーム付きハンモック。
【請求項１０】
前記本体部の基端部における前記第２の平坦部および前記接続部の基端部における前記第１の平坦部が、前記チューブの前記一端部よりも幅の広い基部を提供するように構成されている、請求項８に記載の自立型フレーム付きハンモック。
【請求項１１】
前記第１のチューブのセットおよび前記第２のチューブのセットは、前記第１のチューブのセットおよび前記第２のチューブのセットにおける各チューブの前記４つの区間のうちの下部における脚部区間の上端部が隣り合うように、ｘ状の形状で交差する、請求項５に記載の自立型フレーム付きハンモック。
【請求項１２】
前記第１のチューブのセットおよび前記第２のチューブのセットは同じ長さであり、そして、前記第１の端部および第２の端部バーは同じ長さである、請求項８に記載の自立型フレーム付きハンモック。
【請求項１３】
前記第１のチューブおよび前記第２のチューブは、可撓性ストラップによりｘ状の形状に接合されている、請求項８に記載の自立型フレーム付きハンモック。
【請求項１４】
前記発泡パッドが、前記パッドと前記パネルとの間に隙間が生じるように、前記少なくとも１つの布のパネルの少なくとも前記第１の端部に取り付けられる、請求項８に記載の自立型フレーム付きハンモック。
【請求項１５】
前記第１のチューブのセットおよび前記第２のチューブのセットが４つの区間に分離され、そして前記チューブを４つの区間に分離することにより、前記ハンモックをよりコンパクトな形態に折りたたむことが可能である、請求項８に記載の自立型フレーム付きハンモック。
【請求項１６】
前記第１のチューブのセットおよび前記第２のチューブのセットは、前記第１のチューブのセットおよび前記第２のチューブのセットにおける各チューブの前記４つの区間のうちの下部における脚部区間の上端部が隣り合うように、ｘ状の形状で交差する、請求項８に記載の自立型フレーム付きハンモック。
【国際調査報告】
2021530329.tif 000027
2021530329.tif 000028
2021530329.tif 000029